(57)【要約】【課題】コンピュータネットワーク接続時の操作感を良好にすることができる車載装置および表示制御方法を得ること。【解決手段】  車載装置１は、表示画面を有する表示手段１３と、ユーザの操作を受ける入力手段１２と、路側機２を介してコンピュータネットワークに接続可能な無線通信手段１１と、車両が路側機２のエリアに進入したことが無線通信手段１１により検出されると表示手段１３に所定のアイコンまたはキーを新たに表示させ、そのアイコンまたはキーに対する選択操作が入力手段１２により検出されると無線通信手段１１を制御してコンピュータネットワークに接続させる制御手段１５とを備える。【選択図】図２
2008046715.tif 000002
【特許請求の範囲】
【請求項１】
車両に設置される車載装置において、
表示画面を有する表示手段と、
利用者の操作を受ける入力手段と、
路側機を介してコンピュータネットワークに接続可能な無線通信手段と、
上記車両が上記路側機のエリアに進入したことが上記無線通信手段により検出されると上記表示手段に所定のアイコンまたはキーを新たに表示させ、そのアイコンまたはキーに対する選択操作が上記入力手段により検出されると上記無線通信手段を制御してコンピュータネットワークに接続させる制御手段と、
を備えることを特徴とする車載装置。
【請求項２】
前記制御手段は、前記アイコンまたはキーを前記表示手段の表示画面の縁に沿ったいずれかの位置に表示させることを特徴とする請求項１記載の車載装置。
【請求項３】
前記表示手段は、前記車両が前記路側機のエリアに進入したことが前記無線通信手段により検出されたときに表示しているコンテンツを前記アイコンまたはキーの表示後も継続して表示し、
前記入力手段は、継続して表示されているコンテンツに対する操作を受け付け可能であること、
を特徴とする請求項１または請求項２記載の車載装置。
【請求項４】
車両に設置される車載装置の表示手段の表示画面を制御する方法において、
上記車両が上記路側機のエリアに進入したことを検出するステップと、
上記車両が上記路側機のエリアに進入したことが検出されると上記表示手段に所定のアイコンまたはキーを新たに表示させるステップと、
そのアイコンまたはキーに対する選択操作を所定の入力手段により検出するステップと、
上記選択操作が検出されると所定の無線通信手段を介してコンピュータネットワークに接続するステップと、
を備えることを特徴とする表示制御方法。
【請求項５】
車両に設置される車載装置において、
表示画面を有する表示手段と、
利用者の操作を受ける入力手段と、
路側機を介してコンピュータネットワークに接続可能な無線通信手段と、
上記無線通信手段によるコンピュータネットワーク接続開始時に上記表示手段に初期画面を表示させ、上記表示画面がその初期画面から別の画面へ遷移した場合にその別の画面に上記初期画面へのリンクである所定の第１のアイコンまたは第１のキーを表示させ、その第１のアイコンまたは第１のキーに対する選択操作が上記入力手段により検出されると上記表示手段に上記初期画面を表示させ、さらに、上記初期画面から遷移した別の画面がコンテンツのカテゴリ別に存在する複数のトップ画面のいずれかである場合、上記表示画面が上記トップ画面からそのカテゴリ内の別の画面へ遷移すると、上記第１のアイコンまたは第１のキー、並びに上記トップ画面へのリンクである所定の第２のアイコンまたは第２のキーを表示させ、その第２のアイコンまたは第２のキーに対する選択操作が上記入力手段により検出されると上記表示手段に上記トップ画面を表示させる制御手段と、
を備えることを特徴とする車載装置。
【請求項６】
車両に設置される車載装置の表示手段の表示画面を制御する方法において、
コンピュータネットワーク接続開始時に上記表示手段に初期画面を表示させるステップと、
上記表示画面をその初期画面から別の画面へ遷移させるステップと、
上記表示画面がその初期画面から別の画面へ遷移した場合にその別の画面に上記初期画面へのリンクである所定の第１のアイコンまたは第１のキーを表示させるステップと、
その第１のアイコンまたは第１のキーに対する選択操作が所定の入力手段により検出されると上記表示手段に上記初期画面を表示させるステップと、
上記初期画面から遷移した別の画面がコンテンツのカテゴリ別に存在する複数のトップ画面のいずれかである場合、上記表示画面が上記トップ画面からそのカテゴリ内の別の画面へ遷移すると、上記第１のアイコンまたは第１のキー、並びに上記トップ画面へのリンクである所定の第２のアイコンまたは第２のキーを表示させ、その第２のアイコンまたは第２のキーに対する選択操作が検出されると上記表示手段に上記トップ画面を表示させるステップと、
を備えることを特徴とする表示制御方法。
【請求項７】
車両に設置される車載装置において、
表示画面を有する表示手段と、
利用者の操作を受ける入力手段と、
路側機を介してコンピュータネットワークに接続可能な無線通信手段と、
所定の種類のコンテンツを再生する再生手段と、
上記入力手段への操作に基づき、上記再生手段によるコンテンツ再生および上記無線通信手段によるコンピュータネットワーク接続を含む少なくとも２つの動作モードのいずれかを択一的に選択する選択手段と、
上記選択手段によりコンピュータネットワーク接続のモードが選択されており、かつ所定の種類のコンテンツをダウンロードした場合、上記選択手段により選択されている動作モードをコンテンツ再生へ強制的に切り替え、ダウンロードしたコンテンツの再生を上記再生手段に開始させ、上記表示手段の表示画面を上記動作モードの切り替えとともに切り替える制御手段と、
を備えることを特徴とする車載装置。
【請求項８】
前記制御手段は、ダウンロード対象のコンテンツを利用者に選択させるダウンロード開始画面を前記表示手段に表示させ、利用者に選択されたコンテンツを前記無線通信手段を介してダウンロードし、ダウンロードしたコンテンツの再生が終了した場合、前記表示手段の表示画面をダウンロード開始画面へ遷移させること、
を特徴とする請求項７記載の車載装置。
【請求項９】
車両に設置される車載装置の表示手段の表示画面を制御する方法において、
所定の入力手段への操作に基づき、コンテンツ再生およびコンピュータネットワーク接続を含む少なくとも２つの動作モードのいずれかを択一的に選択するステップと、
コンピュータネットワーク接続のモードが選択されており、かつ所定の種類のコンテンツをダウンロードした場合、選択されている動作モードをコンテンツ再生へ強制的に切り替え、ダウンロードしたコンテンツの再生を開始させ、上記表示手段の表示画面を上記動作モードの切り替えとともに切り替えるステップと、
を備えることを特徴とする表示制御方法。
【発明の詳細な説明】
【技術分野】
【０００１】
本発明は、車載装置および表示制御方法に関する。
【背景技術】
【０００２】
従来の車載装置としては例えば車載ナビゲーション装置がある。従来、道路脇の路側機を設け、路側帯から車載ナビゲーション装置へＶＩＣＳ（Vehicle Information and Communication System）情報などが単方向通信で送信されている。
【０００３】
このような車載装置は狭い場所に取り付けられるため、表示装置および操作部といったユーザインタフェースとして、小型ディスプレイ、タッチパネルなどといった限られたものが採用されることが多い。また、操作およびそれに応じた表示についても様々な方式が提案されている（例えば特許文献１参照）。
【０００４】
近年、例えば高速道路のサービスエリア・パーキングエリア、一般道の「道の駅」などで車載装置と路側機との間で双方向通信を実現することが提案されており、それに伴ない、車載装置が路側機を介してインターネットなどのコンピュータネットワークに接続可能となることが想定される。
【０００５】
他方、インターネットなどのコンピュータネットワークに接続し、コンピュータネットワーク上のサイトから各種情報を取得する場合、種々の検索方法が存在する（例えば特許文献２参照）。
【０００６】
【特許文献１】特開２００３−２１８７１９号公報（明細書等）
【特許文献２】特開２００４−３０４００号公報（明細書等）
【発明の開示】
【発明が解決しようとする課題】
【０００７】
しかしながら、例えば特許文献２のような技術は、パーソナルコンピュータなどの、ユーザインタフェースの比較的充実した装置向けのものであり、上述のような限られたユーザインタフェースを有する車載装置に対してそのまま適用することは難しく、上述のようなコンピュータネットワークへの接続時の操作感を良好にすることは難しい。
【０００８】
特に、車載ナビゲーション装置の場合、ナビゲーション時の操作感を損なわずに、コンピュータネットワーク接続時の操作を簡素化することは困難である。
【０００９】
例えば、車両が上記路側機のエリアに進入しコンピュータネットワークへの接続が可能になった際に、自動的にコンピュータネットワークへ接続する第１の方式、および利用者への確認表示を行いユーザからの応答に応じてコンピュータネットワークへ接続するか否かを決定する第２の方式が考えられる。しかしながら、第１の方式においては、利用者の意思が考慮されず、コンピュータネットワークからの情報が不要な利用者にとって不必要な画面表示が行われてしまう。また、第２の方式においても、コンピュータネットワークへの接続を実行させたい場合およびさせたくない場合のいずれの場合でも利用者がその際に必ず一度は操作を行う必要があり、利用者に操作を強いることになり、装置の操作感が悪化する。
【００１０】
また、例えば、コンピュータネットワーク接続後の表示画面の遷移（リンクなどによる別のコンテンツへの遷移）の際に、利用者が、予め設けられている「進む」キー、「戻る」キーおよび「ホーム」キーを操作して、表示画面を遷移させることが考えられる。しかしながら、「進む」キーおよび「戻る」キーでは、カテゴリ内の階層が深くなると、別のカテゴリへ移動する場合に操作回数が増えるため、利用者が煩わしさを感じてしまう。また、「ホーム」キーでは、初期画面に戻るため、カテゴリ内の階層が深くなると、同じカテゴリ内の別のコンテンツへ遷移させる場合に操作回数が増えるため、利用者が煩わしさを感じてしまう。
【００１１】
また、例えば、コンテンツ再生およびコンピュータネットワーク接続を含む複数の動作モードのうちの１つを利用者の操作に基づき択一的に選択する装置の場合、音楽および／または映像といったコンテンツのファイルをダウンロードしてそのコンテンツを鑑賞するために、動作モードの切り替えのための操作が必要になってしまう。
【００１２】
また、例えば、ダウンロードしたあるコンテンツの再生が終了した際に、次のコンテンツ（別のコンテンツ）を継続して再生する第１の方式、および同一のコンテンツを繰り返し再生する第２の方式が考えられる。しかしながら、いずれの方式でも、利用者が意図しない動作となる可能性がある。また、例えば同一アルバムの複数の楽曲などといった複数のコンテンツを連続してダウンロードしたいという場合には、ダウンロード開始画面（コンテンツの選択画面）へ遷移させる操作が必要になってしまう。
【００１３】
本発明は、上記の問題に鑑みてなされたものであり、コンピュータネットワーク接続時の操作感を良好にすることができる車載装置および表示制御方法を得ることを目的とする。
【課題を解決するための手段】
【００１４】
上記の課題を解決するために、本発明では以下のようにした。
【００１５】
本発明に係る車載装置の１つは、表示画面を有する表示手段と、ユーザの操作を受ける入力手段と、路側機を介してコンピュータネットワークに接続可能な無線通信手段と、車両が路側機のエリアに進入したことが無線通信手段により検出されると表示手段に所定のアイコンまたはキーを新たに表示させ、そのアイコンまたはキーに対する選択操作が入力手段により検出されると無線通信手段を制御してコンピュータネットワークに接続させる制御手段とを備える。
【００１６】
また、本発明に係る車載装置は、上記の車載装置に加え、次のようにしてもよい。つまり、その場合、制御手段は、そのアイコンまたはキーを表示手段の表示画面の縁に沿ったいずれかの位置に表示させる。
【００１７】
また、本発明に係る車載装置は、上記の車載装置のいずれかに加え、次のようにしてもよい。つまり、その場合、表示手段は、車両が路側機のエリアに進入したことが無線通信手段により検出されたときに表示しているコンテンツをそのアイコンまたはキーの表示後も継続して表示する。そして入力手段は、継続して表示されているコンテンツに対する操作を受け付け可能とされる。
【００１８】
また、本発明に係る表示制御方法の１つは、車両が路側機のエリアに進入したことを検出するステップと、車両が路側機のエリアに進入したことが検出されると表示手段に所定のアイコンまたはキーを新たに表示させるステップと、そのアイコンまたはキーに対する選択操作を所定の入力手段により検出するステップと、選択操作が検出されると所定の無線通信手段を介してコンピュータネットワークに接続するステップとを備える。
【００１９】
本発明に係る車載装置の１つは、表示画面を有する表示手段と、ユーザの操作を受ける入力手段と、路側機を介してコンピュータネットワークに接続可能な無線通信手段と、無線通信手段によるコンピュータネットワーク接続開始時に表示手段に初期画面を表示させ、表示画面がその初期画面から別の画面へ遷移した場合にその別の画面に初期画面へのリンクである所定の第１のアイコンまたは第１のキーを表示させ、その第１のアイコンまたは第１のキーに対する選択操作が入力手段により検出されると表示手段に初期画面を表示させ、さらに、初期画面から遷移した別の画面がコンテンツのカテゴリ別に存在する複数のトップ画面のいずれかである場合、表示画面がトップ画面からそのカテゴリ内の別の画面へ遷移すると、第１のアイコンまたは第１のキー、並びにトップ画面へのリンクである所定の第２のアイコンまたは第２のキーを表示させ、その第２のアイコンまたは第２のキーに対する選択操作が入力手段により検出されると表示手段にトップ画面を表示させる制御手段とを備える。
【００２０】
また、本発明に係る表示制御方法の１つは、コンピュータネットワーク接続開始時に表示手段に初期画面を表示させるステップと、表示画面をその初期画面から別の画面へ遷移させるステップと、表示画面がその初期画面から別の画面へ遷移した場合にその別の画面に初期画面へのリンクである所定の第１のアイコンまたは第１のキーを表示させるステップと、その第１のアイコンまたは第１のキーに対する選択操作が所定の入力手段により検出されると表示手段に初期画面を表示させるステップと、初期画面から遷移した別の画面がコンテンツのカテゴリ別に存在する複数のトップ画面のいずれかである場合、表示画面がトップ画面からそのカテゴリ内の別の画面へ遷移すると、第１のアイコンまたは第１のキー、並びにトップ画面へのリンクである所定の第２のアイコンまたは第２のキーを表示させ、その第２のアイコンまたは第２のキーに対する選択操作が検出されると表示手段にトップ画面を表示させるステップとを備える。
【００２１】
本発明に係る車載装置の１つは、表示画面を有する表示手段と、ユーザの操作を受ける入力手段と、路側機を介してコンピュータネットワークに接続可能な無線通信手段と、所定の種類のコンテンツを再生する再生手段と、入力手段への操作に基づき、再生手段によるコンテンツ再生および無線通信手段によるコンピュータネットワーク接続を含む少なくとも２つの動作モードのいずれかを択一的に選択する選択手段と、選択手段によりコンピュータネットワーク接続のモードが選択されており、かつ所定の種類のコンテンツをダウンロードした場合、選択手段により選択されている動作モードをコンテンツ再生へ強制的に切り替え、ダウンロードしたコンテンツの再生を再生手段に開始させ、表示手段の表示画面を動作モードの切り替えとともに切り替える制御手段とを備える。
【００２２】
また、本発明に係る車載装置は、上記の車載装置に加え、次のようにしてもよい。つまり、その場合、制御手段は、ダウンロード対象のコンテンツを利用者に選択させるダウンロード開始画面を表示手段に表示させ、利用者に選択されたコンテンツを無線通信手段を介してダウンロードし、ダウンロードしたコンテンツの再生が終了した場合、表示手段の表示画面をダウンロード開始画面へ遷移させる。
【００２３】
また、本発明に係る表示制御方法の１つは、所定の入力手段への操作に基づき、コンテンツ再生およびコンピュータネットワーク接続を含む少なくとも２つの動作モードのいずれかを択一的に選択するステップと、コンピュータネットワーク接続のモードが選択されており、かつ所定の種類のコンテンツをダウンロードした場合、選択されている動作モードをコンテンツ再生へ強制的に切り替え、ダウンロードしたコンテンツの再生を開始させ、表示手段の表示画面を動作モードの切り替えとともに切り替えるステップとを備える。
【発明の効果】
【００２４】
本発明によれば、車載装置において、コンピュータネットワーク接続時の操作感を良好にすることができる。
【発明を実施するための最良の形態】
【００２５】
以下、図に基づいて本発明の実施の形態を説明する。
【００２６】
実施の形態１．
図１は、無線通信システムの一例を示す図である。この無線通信システムは、いわゆるＤＳＲＣ（Dedicated Short Range Communication ）システムである。このシステムでは、移動体である車両１００に車載装置１が設置され、車道路近傍に設置された路側機２との間で双方向の無線通信を行う。路側機２にはサーバ装置３が接続され、路側機２を介して車載装置１との間で各種情報の送受を行う。
【００２７】
本発明の実施の形態１に係る車載装置１は、車両１００が路側機２のエリアに進入すると所定のアイコンまたはキーを新たに表示させ、そのアイコンまたはキーに対する選択操作が検出されるまでは、インターネットに接続せず、その選択操作が検出されるとインターネットに接続し所定のＵＲＬ（Universal Resource Locator）の示すコンテンツにアクセスする。
【００２８】
図２は、本発明の実施の形態１に係る車載装置の構成を示すブロック図である。図２に示す車載装置１において、ＤＳＲＣ通信制御部１１は、路側機２との間で無線通信を行う回路である。また、操作部１２は、スイッチ、リモートコントローラ、音声認識装置などといった利用者による操作を検出する装置である。操作部１２は、表示部１３の表示画面上に設置された透明なタッチパネルを有する。表示部１３は、液晶ディスプレイなどの、各種情報を表示する装置である。操作部１２および表示部１３によりユーザインタフェースが構成される。制御部１５は、表示部１３に、アイコンなどの操作可能な画像を表示させ、その表示位置に対する操作を操作部１２のタッチパネルで検出する。また、記憶部１４は、データを格納する装置である。記憶部１４には、ＲＡＭ、ＲＯＭなどの半導体メモリ、ハードディスクドライブ、光ディスクおよびその駆動装置などが使用される。制御部１５は、車載装置１内の各部を制御する回路である。制御部１５は、例えば、マイクロプロセッサおよびそのマイクロプロセッサにより実行されるプログラムを格納する記録媒体で構成される。車載装置１の形態は、例えば、上記の構成要素が一体となったナビゲーション装置とされる。
【００２９】
また、路側機２において、通信制御部２１は、エリア内の車載装置１との間で双方向の無線通信を行う装置である。この通信制御部２１は、車載装置１とサーバ装置３との間のＩＰ（インターネットプロトコル）による通信を中継したり、ＶＩＣＳ（Vehicle Information and Communication System）情報を送出したりする。なお、図１においては、路側機２は１つのみ描かれているが、道路に沿ってあるいは駐車場のある施設に複数の路側機２が配置される。
【００３０】
また、サーバ装置３において、データ通信部３１は、路側機２の通信制御部２１との間で通信を行い、車載装置１とＩＰ網との間の通信を中継する装置である。情報管理部３２は、車載装置１へ提供する各種情報を格納したりする装置である。
【００３１】
次に、上記車載装置の動作について説明する。図３は、実施の形態１に係る車載装置１の動作について説明するフローチャートである。
【００３２】
車載装置１の制御部１５は、車両１００（ひいてはこの車載装置１）がいずれかの路側機２のエリアに進入したか否かを監視する（ステップＳ１）。その際、制御部１５は、ＤＳＲＣ通信制御部１１が路側機２からの所定の制御信号を受信したか否かを監視し、その制御信号が受信された場合には、エリアに進入したと判断する。
【００３３】
車両１００が路側機２のエリアに進入すると、制御部１５は、路側機２との初期通信において（つまり通信確立の際に）ＤＳＲＣ通信制御部１１が路側機２から取得した初期ＵＲＬを受信し（ステップＳ２）、ＤＳＲＣ通信制御部１１を制御してその初期ＵＲＬにアクセスする（ステップＳ３）。なお、路側機２は、この初期ＵＲＬの情報を定期的にプッシュ配信している。
【００３４】
制御部１５は、その初期ＵＲＬからデータ（ＨＴＭＬ（HyperText Markup Language ）データなど）を取得すると（ステップＳ４）、記憶部１４に一旦格納する。この時点では、制御部１５は、そのデータに基づく表示を表示部１３に行わせず、エリア進入以前から表示されているコンテンツを引き続き表示部１３に表示させる。この場合のコンテンツとは、地図、ＤＶＤ再生などによる映像、再生中のオーディオコンテンツについての情報（アルバム情報、曲名、音量など）などである。
【００３５】
次に、制御部１５は、初期ＵＲＬからのデータの取得が完了すると、エリア進入以前から表示されているコンテンツを引き続き表示部１３に表示させるとともに、画面切替アイコンを表示させる（ステップＳ５）。この画面切替アイコンは、コンテンツの鑑賞を妨げないように、表示部１３の表示画面の縁周辺に小さく表示されるポップアップアイコンである。この時点でも、制御部１５は、初期ＵＲＬから取得したデータに基づく表示を表示部１３に行わせない。
【００３６】
そして、制御部１５は、その画面切替アイコンが表示されている間、車両１００が路側機２のエリアから外れたか否か（ステップＳ６）、および画面切替アイコンが押下されたか否か（ステップＳ７）を監視する。
【００３７】
その画面切替アイコンが表示されている間に車両１００が路側機２のエリアから外れた場合、制御部１５は、ＤＳＲＣ通信制御部１１によりそれを検出し、それに応じて、画面切替アイコンを表示部１３の画面から消去する（ステップＳ１３）。その後、ステップＳ１に戻り、制御部１５は、車両１００がいずれかの路側機２のエリアに進入したか否かを監視する。
【００３８】
一方、その画面切替アイコンが押下されると、制御部１５は、操作部１２のタッチパネルによりその操作を検出し、それに応じて、初期ＵＲＬから取得したデータに基づいてブラウザ画面を表示部１３に表示させる（ステップＳ８）。さらに、制御部１５は、そのブラウザ画面において、元の画面（つまり、ブラウザ画面へ移行する前の画面）へ戻るための画面切替アイコンを表示させる（ステップＳ８）。なお、ブラウザ画面とは、ＨＴＴＰ（HyperText Transport Protocol）で指定したＵＲＬのコンテンツをダウンロードして表示するブラウザプログラムを制御部１５により実行した際の画面である。
【００３９】
その後、ブラウザ画面が表示されている間、制御部１５は、画面切替アイコンが押下されたか否か（ステップＳ９）、および車両１００が路側機２のエリアから外れたか否か（ステップＳ１０）を監視する。
【００４０】
画面切替アイコンが押下されると、制御部１５は、操作部１２のタッチパネルによりその操作を検出し、それに応じて、表示部１３の画面を、初期ＵＲＬのブラウザ画面に遷移する前の画面へ戻す（ステップＳ１１）。その後、ステップＳ５に戻り、元の画面とともに、ブラウザ画面へ切り替えるための画面切替アイコンを表示させる。
【００４１】
また、ブラウザ画面が表示されている間に、車両１００が路側機２のエリアから外れた場合、制御部１５は、ＤＳＲＣ通信制御部１１によりそれを検出し、それに応じて、表示部１３の画面を、初期ＵＲＬのブラウザ画面に遷移する前の画面へ戻し（ステップＳ１２）、画面切替アイコンを表示部１３の画面から消去する（ステップＳ１３）。その後、ステップＳ１に戻り、制御部１５は、車両１００がいずれかの路側機２のエリアに進入したか否かを監視する。
【００４２】
以上のように、上記実施の形態１によれば、無線通信手段としてのＤＳＲＣ通信制御部１１は、路側機２を介してコンピュータネットワークに接続可能であり、制御手段としての制御部１５は、車両１００が路側機２のエリアに進入したことがＤＳＲＣ通信制御部１１により検出されると、表示手段としての表示部１３に所定のアイコンまたはキーを新たに表示させ、入力手段としての操作部１２によりそのアイコンまたはキーに対する選択操作が検出されるとＤＳＲＣ通信制御部１１を制御してコンピュータネットワークに接続させる。
【００４３】
これにより、路側機２のエリアに入ったときに直ちにコンピュータネットワークへの接続画面やブラウザ画面が表示されてしまうことがなく、コンテンツの映像を継続的に鑑賞し、利用者は必要なときにコンピュータネットワークへの接続画面やブラウザ画面を表示させることができる。つまり、不要であれば利用者は操作をしないので、それらの画面が自動的に表示されることはない。そのため、コンピュータネットワーク接続時の操作感を良好にすることができる。
【００４４】
実施の形態２．
本発明の実施の形態２に係る車載装置は、コンピュータネットワーク接続開始後に、初期画面へ戻るためのホームキー、および／またはコンテンツのカテゴリのトップ画面へ戻るためのカテゴリトップキーを適宜表示し、それらのキーが操作されると表示画面を初期画面またはカテゴリのトップ画面へ戻す。
【００４５】
実施の形態２に係る車載装置の構成は実施の形態１のものと同様であるので、その説明を省略する。ただし、制御部１５の動作は、以下の説明のものとされる。
【００４６】
次に、上記車載装置の動作について説明する。図４は、実施の形態２に係る車載装置の動作について説明するフローチャートである。図５は、実施の形態２における表示画面の遷移について説明する図である。
【００４７】
車載装置１の制御部１５は、車両１００（ひいてはこの車載装置１）がいずれかの路側機２のエリアに進入したか否かを監視する（ステップＳ２１）。車両１００が路側機２のエリアに進入すると、制御部１５は、路側機２との初期通信において（つまり通信確立の際に）ＤＳＲＣ通信制御部１１が路側機２から取得した初期ＵＲＬを受信し（ステップＳ２２）、ＤＳＲＣ通信制御部１１を制御してその初期ＵＲＬにアクセスする（ステップＳ２３）。なお、路側機２は、この初期ＵＲＬの情報を定期的にプッシュ配信している。
【００４８】
制御部１５は、その初期ＵＲＬからデータ（ＨＴＭＬデータなど）を取得すると（ステップＳ２４）、そのデータに基づいて初期画面を表示部１３に表示させる。初期画面では、例えば図５の初期画面６１に示すように、リンクキー７１−１，７１−２，７１−３が表示される。リンクキー７１−１，７１−２，７１−３は、操作部１２のタッチパネルおよび表示部１３によるユーザインタフェースに基づき操作可能な操作部である。また、各リンクキー７１−ｉ（ｉ＝１，２，３）には、他の画面（ＨＴＭＬデータ）へのＵＲＬが関連付けられている。
【００４９】
また、制御部１５は、その初期ＵＲＬをＵＲＬ保持配列の０番目の要素として記憶部１４に格納する（ステップＳ２５）。なお、ＵＲＬ保持配列の先頭は、０番目の要素となり、Ｍ個の要素がある場合、ＵＲＬ保持配列の最後は、（Ｍ−１）番目の要素となる。
【００５０】
制御部１５は、変数データＮおよびＭａｘの値をゼロとする（ステップＳ２６）。変数データＮは、ＵＲＬ保持配列において表示対象のＵＲＬの要素番号を指示する。変数データＭａｘは、ＵＲＬ保持配列における最後のＵＲＬの要素番号を指示する。
【００５１】
そして、制御部１５は、車両１００が路側機２のエリアから外れたか否か（ステップＳ２７）、および画面に表示されたキーが押下操作されたか否か（ステップＳ２８，Ｓ４２，Ｓ４８，Ｓ５１，Ｓ５６）を監視する。
【００５２】
図５に示す初期画面６１では、リンクキー７１−１，７１−２，７１−３のみが表示され、進むキー、戻るキー、トップキー、およびホームキーは表示されない。なお、進むキー、戻るキー、トップキー、およびホームキーについては後述する。
【００５３】
したがって、初期画面６１が表示された後、制御部１５は、車両１００が路側機２のエリアから外れたか否か（ステップＳ２７）、およびいずれかのリンクキー７１−ｉが押下操作されたか否か（ステップＳ２８）を監視する。
【００５４】
初期画面６１で表示されるリンクキー７１−１，７１−２，７１−３には、コンテンツのカテゴリ別のトップ画面（トップ画面のＨＴＭＬデータ）へのＵＲＬが関連付けられている。なお、トップ画面のＨＴＭＬデータもコンテンツの一種である。
【００５５】
その後、制御部１５は、いずれかのリンクキー７１−ｉが押下操作されたことを検出すると、そのリンクキー７１−ｉに関連付けられているＵＲＬを特定し、ＤＳＲＣ通信制御部１１を制御して、そのＵＲＬにアクセスする（ステップＳ２９）。また、制御部１５は、データＮの値を１だけ増加させ（ステップＳ３０）、データＮの値をデータＭａｘへ代入する（ステップＳ３１）。
【００５６】
そして、制御部１５は、そのリンクキー７１−ｉに関連付けられているＵＲＬからデータ（ＨＴＭＬデータなど）を取得すると（ステップＳ３２）、そのデータに基づいて表示部１３の画面を遷移させる。初期画面６１においてリンクキー７１−ｉが押下された場合には、表示部１３の画面はいずれかのカテゴリのトップ画面へ遷移する。
【００５７】
遷移後の画面（ここでは、トップ画面）の状態で、制御部１５は、データＮの値がゼロであるか否かを判定する（ステップＳ３３）。表示部１３の画面がトップ画面である状態では、データＮの値は１であるので、次に、制御部１５は、データＮの値が１であるか否かを判定する（ステップＳ３４）。
【００５８】
トップ画面の場合、データＮの値は１であるので、制御部１５は、例えば図５に示すように、トップ画面６２，６３，６４において、ホームキー８１を表示部１３に表示させる（ステップＳ３５）。ホームキー８１は、初期画面のデータのＵＲＬが関連付けられた特別なリンクキーである。
【００５９】
図５に示す場合、初期画面６１において、リンクキー７１−１が押下されると、カテゴリＡのトップ画面６２が表示され、リンクキー７１−２が押下されると、カテゴリＢのトップ画面６３が表示され、リンクキー７１−３が押下されると、カテゴリＣのトップ画面６４が表示される。そして、カテゴリＡのトップ画面６２には、リンクキー７１−４，７１−５が表示され、カテゴリＢのトップ画面６３には、リンクキー７１−６，７１−７が表示され、カテゴリＣのトップ画面６４には、リンクキー７１−８，７１−９が表示される。
【００６０】
次に、制御部１５は、データＮの値およびデータＭａｘの値がともにゼロであるか否かを判定する（ステップＳ３６）。トップ画面６２，６３，６４が表示されている場合には、データＮの値はゼロではないので、制御部１５は、次に、データＮの値がゼロより大きいか否かを判定する（ステップＳ３７）。トップ画面６２，６３，６４が表示されている場合には、データＮの値は１であり、ゼロより大きいので、制御部１５は、ここで、トップ画面６２，６３，６４において、戻るキーを表示させる（ステップＳ３８）。さらに、制御部１５は、データＮの値がデータＭａｘの値より小さいか否かを判定する（ステップＳ３９）。上述のようにして初期画面６１からトップ画面６２，６３，６４へ遷移した場合、データＮの値は１であり、データＭａｘの値は１であるため、制御部１５は、トップ画面６２，６３，６４において、進むキーを表示させない。
【００６１】
このようにして、初期画面６１からトップ画面６２，６３，６４へ遷移すると、トップ画面６２，６３，６４において、ホームキー８１および戻るキーが表示される。
【００６２】
そして、上述のようにして画面遷移が完了すると、制御部１５は、今回アクセスしたＵＲＬ（つまり、現在表示中のコンテンツのＵＲＬ）をＵＲＬ保持配列のＮ番目の要素として格納する（ステップＳ４１）。なお、この数値Ｎは、データＮの値である。ここでは、トップ画面６２，６３，６４が表示されているので、Ｎの値は１である。
【００６３】
トップ画面６２，６３，６４の表示後、ステップＳ２７に戻り、制御部１５は、車両１００が路側機２のエリアから外れたか否か（ステップＳ２７）、いずれかのリンクキー７１−ｉが押下操作されたか否か（ステップＳ２８）、ホームキー８１が押下されたか否か（ステップＳ４２）、戻るキーが押下されたか否か（ステップＳ５１）を監視する。
【００６４】
トップ画面６２，６３，６４において、ホームキー８１が押下されると、制御部１５は、ＵＲＬ保持配列の０番目の要素を読み出し、読み出したＵＲＬのコンテンツ（つまり、初期画面）のデータにアクセスし（ステップＳ４３）、データＮの値をゼロとし（ステップＳ４４）、データＮの値をデータＭａｘへ代入する（ステップＳ３１）。
【００６５】
そして、制御部１５は、そのＵＲＬからデータを取得すると（ステップＳ３２）、そのデータに基づいて表示部１３の画面（ここでは、初期画面）を遷移させる。そして、制御部１５は、データＮの値がゼロであるため（ステップＳ３３）、トップキーの表示を消去する（ステップＳ４５）。
【００６６】
次に、制御部１５は、データＮの値およびデータＭａｘの値がともにゼロであるので（ステップＳ３６）、戻るキーの表示を消去し（ステップＳ４６）、今回アクセスした初期画面のＵＲＬをＵＲＬ保持配列の０番目の要素として格納する（ステップＳ４１）。
【００６７】
このようにして、トップ画面６２，６３，６４から初期画面６１へ遷移すると、初期画面６１において、ホームキー８１および戻るキーの表示が消去される。
【００６８】
一方、トップ画面６２，６３，６４において、いずれかのリンクキー７１−ｉ（ｉ＝４，５，６，７，８，９）が押下されると、制御部１５は、そのリンクキーに関連付けられているＵＲＬのコンテンツのデータにアクセスし（ステップＳ２９）、データＮの値を１だけ増加させ（ステップＳ３０）、データＮの値をデータＭａｘへ代入する（ステップＳ３１）。初期画面６１からトップ画面６２，６３，６４へ遷移したときにそのトップ画面６２，６３，６４においてリンクキー７１−ｉが押下された場合、データＮおよびデータＭａｘの値はそれぞれ２となる。そして、制御部１５は、コンテンツのデータ取得が完了すると（ステップＳ３２）、そのコンテンツの画面を表示させるとともに、トップキー８２を表示させ（ステップＳ４７）、戻るキーを引き続き表示させる（ステップＳ３７）。なお、進むキーは引き続き表示されない。なお、トップキー８２はそのコンテンツの属するカテゴリのトップ画面６２，６３，６４のデータのＵＲＬが関連付けられた特別なリンクキーである。
【００６９】
図５に示す場合、カテゴリＡのトップ画面６２において、リンクキー７１−４が押下されると、画面６５が表示され、ホームキー８１、トップキー８２およびリンクキー７１−１０が併せて表示される。また、カテゴリＡのトップ画面６２において、リンクキー７１−５が押下されると、画面６６が表示され、ホームキー８１、トップキー８２およびリンクキー７１−１１が併せて表示される。また、カテゴリＣのトップ画面６４において、リンクキー７１−８が押下されると、画面６７が表示され、ホームキー８１、トップキー８２およびリンクキー７１−１２が併せて表示される。
【００７０】
このようにして、あるカテゴリのトップ画面６２，６３，６４からそのカテゴリ内のコンテンツの画面６５，６６，６７へ遷移すると、その画面において、ホームキー８１、トップキー８２および戻るキーが表示される。
【００７１】
その後、あるカテゴリのトップ画面６２，６３，６４からそのカテゴリ内のコンテンツの画面６５，６６，６７へ遷移した後、その画面におけるホームキー８１が押下されると（ステップＳ４２）、制御部１５は、初期画面を表示させるとともに、データＮおよびデータＭａｘの値をゼロにし（ステップＳ４４，Ｓ３１）、ホームキー８１、トップキー８２および戻るキーの表示を削除する（ステップＳ４５，Ｓ４６）。
【００７２】
また、あるカテゴリのトップ画面６２，６３，６４からそのカテゴリ内のコンテンツの画面６５，６６，６７へ遷移した後、その画面におけるトップキー８２が押下されると（ステップＳ４８）、制御部１５は、ＵＲＬ保持配列の１番目の要素であるＵＲＬを参照してそのカテゴリのトップ画面６２，６３，６４を表示させるとともに、データＮおよびデータＭａｘの値を１にし（ステップＳ５０，Ｓ３１）、トップキー８２の表示を削除する（ステップＳ３５）。
【００７３】
さらに、ある画面において、戻るキーが押下されると（ステップＳ５１）、制御部１５は、そのときのデータＮの値に基づいて、ＵＲＬ保持配列の（Ｎ−１）番目の要素を読み出し（ステップＳ５２）、そのＵＲＬのコンテンツを表示させるとともに、データＮの値を１だけ減少させ（ステップＳ５３）、進むキーを表示させる（ステップＳ５４）。また、トップ画面において、戻るキーが押下されると、データＭａｘの値に拘わらず、遷移後の画面（つまり初期画面）では戻るキーの表示は消去される（ステップＳ４６，Ｓ５５）。
【００７４】
その後、ある画面において、進むキーが押下されると（ステップＳ５６）、制御部１５は、そのときのデータＮの値に基づいて、ＵＲＬ保持配列の（Ｎ＋１）番目の要素を読み出し（ステップＳ５７）、そのＵＲＬのコンテンツを表示させるとともに、データＮの値を１だけ増加させる（ステップＳ５８）。ここで、データＮの値を１だけ増加したことにより、データＮの値とデータＭａｘの値が同一になると、遷移後の画面では進むキーの表示は消去される（ステップＳ４０）。
【００７５】
以上に説明したように、車両１００が路側機２のエリアから外れない限り、各画面状態にて表示されているキー（ホームキー８１、トップキー８２、リンクキー７１−ｉなど）への押下操作の有無が監視され、いずれかのキーが押下されると、表示部１３の画面が遷移する。
【００７６】
車両１００が路側機２のエリアから外れた場合には、制御部１５は、初期画面６１へ遷移する前の画面を表示部１３に再表示させ、ＵＲＬ保持配列の全要素を消去する（ステップＳ５９）。その後、ステップＳ２１に戻り、車両１００が路側機２のエリアに入るまで待機する。
【００７７】
以上のように、上記実施の形態２によれば、制御部１５は、ＤＳＲＣ通信制御部１１によるコンピュータネットワーク接続開始時に表示部１３に初期画面６１を表示させ、表示画面がその初期画面６１から別の画面（トップ画面６２，６３，６４）へ遷移した場合にその別の画面６２，６３，６４に初期画面６１へのリンクであるホームキー８１を表示させ、そのホームキー８１に対する選択操作が操作部１２により検出されると表示部１３に初期画面６１を表示させる。さらに、制御部１５は、初期画面６１から遷移した別の画面がトップ画面６２，６３，６４のいずれかである場合、表示画面がトップ画面６２，６３，６４からそのカテゴリ内の別の画面６５，６６，６７へ遷移すると、ホームキー８１およびトップキー８２を表示させ、そのトップキー８２に対する選択操作が操作部１２により検出されると表示部１３にそのカテゴリのトップ画面６２，６３，６４を表示させる。
【００７８】
これにより、コンピュータネットワークへ接続した際にコンテンツのカテゴリ階層が多い場合でも、初期画面６１、および現在表示中のコンテンツのカテゴリのトップ画面６２，６３，６４に簡単に戻ることができる。そのため、コンピュータネットワーク接続時の操作感を良好にすることができる。
【００７９】
実施の形態３．
本発明の実施の形態３に係る車載装置は、コンピュータネットワーク接続の動作モードが利用者により選択されており、かつ所定の種類のコンテンツをダウンロードした場合、動作モードをコンテンツ再生へ強制的に切り替え、ダウンロードしたコンテンツの再生を開始させる。
【００８０】
実施の形態３に係る車載装置の構成は実施の形態１のものと同様であるので、その説明を省略する。ただし、制御部１５の動作は、以下の説明のものとされる。
【００８１】
次に、上記車載装置の動作について説明する。図６は、実施の形態３に係る車載装置の動作について説明するフローチャートである。
【００８２】
車載装置１の制御部１５は、車両１００（ひいてはこの車載装置１）がいずれかの路側機２のエリアに進入したか否かを監視する（ステップＳ６１）。車両１００が路側機２のエリアに進入すると、制御部１５は、路側機２との初期通信において（つまり通信確立の際に）ＤＳＲＣ通信制御部１１が路側機２から取得した初期ＵＲＬを受信し（ステップＳ６２）、ＤＳＲＣ通信制御部１１を制御してその初期ＵＲＬにアクセスする（ステップＳ６３）。なお、路側機２は、この初期ＵＲＬの情報を定期的にプッシュ配信している。
【００８３】
制御部１５は、その初期ＵＲＬからデータ（ＨＴＭＬデータなど）を取得すると（ステップＳ６４）、そのデータに基づいて初期画面を表示部１３に表示させる。実施の形態３では、初期画面は、ファイル選択画面とされ、ダウンロード可能なコンテンツ（ファイル）の一覧が表示される（ステップＳ６５）。この一覧は、上述のリンクキーの一覧とされ、各リンクキーにはファイルのＵＲＬが関連付けられている。
【００８４】
その後、制御部１５は、いずれのリンクキーが押下されると、それを操作部１２を介して検出し、そのリンクキーに関連付けられているコンテンツ（ファイル）のＵＲＬへアクセスし、そのコンテンツ（ファイル）のダウンロードを開始する（ステップＳ６６）。
【００８５】
そして、制御部１５は、車両１００が路側機２のエリアから外れたか否か（ステップＳ６７）、およびそのコンテンツ（ファイル）のダウンロードが完了したか否か（ステップＳ６８）を監視する。
【００８６】
ダウンロードが完了すると、制御部１５は、装置の動作モードをネットワーク接続モードからコンテンツ再生モードへ強制的に変更し、そのコンテンツ（ファイル）の再生を開始し、表示部１３にそのコンテンツを表示させる（ステップＳ６９）。これにより、表示部１３の画面は、ネットワーク接続時の画面からコンテンツ表示画面へ遷移する。
【００８７】
例えば、コンテンツが音楽データファイルである場合には、装置の動作モードは音楽再生モードへ変更される。音楽再生モードでは、図示せぬ音楽データファイルから音楽が再生され図示せぬスピーカから出力されるとともに、表示部１３にはその音楽に関する情報（曲名など）が表示される。また、コンテンツが映像データファイルである場合には、装置の動作モードは映像再生モードへ変更される。映像再生モードでは、図示せぬ映像データファイルから映像と音声が再生され映像は表示部１３に表示され、音声は図示せぬスピーカから出力される。
【００８８】
その後、制御部１５は、コンテンツ再生中、そのコンテンツの再生が完了したか否か（ステップＳ７０）、およびコンテンツ再生中に再生中断または再生中止のイベントが発生したか否か（ステップＳ７１）を監視する。
【００８９】
そのコンテンツの再生が完了した場合、制御部１５は、装置の動作モードをコンテンツ再生モードからネットワーク接続モードへ強制的に変更し、ファイル選択画面を再度表示させる（ステップＳ６５）。
【００９０】
また、コンテンツ再生中に再生中断または再生中止のイベントが発生した場合、制御部１５は、コンテンツの再生を中断または中止し、そのイベントの種類に応じて表示画面を遷移させる（ステップＳ７２）。そのようなイベントとしては、音楽データ、ラジオなどといったソースの切替操作部（図示せぬ）に対する利用者の操作や、車両のアクセサリ（ＡＣＣ）スイッチに対する操作などがある。ソース切替があった場合には、切替後のソースに応じた表示画面（例えばＦＭラジオの選局画面）となり、ＡＣＣスイッチのオフの場合には、単に画面表示がオフとされる。
【００９１】
他方、ダウンロード中に、車両１００が路側機２のエリアから外れた場合には、制御部１５は、ダウンロード中のファイルを消去し（ステップＳ７３）、初期ＵＲＬの画面へ遷移する前の画面へ表示部１３の画面を遷移させる（ステップＳ７４）。その後、ステップＳ６１に戻り、制御部１５は、車両１００がいずれかの路側機２のエリアに進入したか否かを監視する。
【００９２】
以上のように、上記実施の形態３によれば、制御部１５は、所定の種類のコンテンツを再生する再生手段として機能し、また、操作部１２への操作に基づき、コンテンツ再生およびＤＳＲＣ通信制御部１１によるコンピュータネットワーク接続を含む少なくとも２つの動作モードのいずれかを択一的に選択する選択手段として機能する。さらに、制御部１５は、コンピュータネットワーク接続のモードが選択されており、かつ所定の種類のコンテンツをダウンロードした場合、選択されている動作モードをコンテンツ再生へ強制的にモードを切り替え、ダウンロードしたコンテンツの再生を開始し、表示部１３の表示画面を動作モードの切り替えとともに切り替える。
【００９３】
これにより、コンテンツの再生のためにソース切替などの操作を行わなくて済み、コンピュータネットワーク接続時の操作感を良好にすることができる。
【００９４】
なお、上述の各実施の形態は、本発明の好適な例であるが、本発明は、これらに限定されるものではなく、本発明の要旨を逸脱しない範囲において、種々の変形、変更が可能である。
【００９５】
例えば、上記実施の形態１において、制御部１５は、路側機２のエリアに入った際にアイコンの表示とともに、チャイムなどの所定の音響を図示せぬスピーカから出力させるようにしてもよい。
【００９６】
また、上記実施の形態２においては、ホームキー８１、トップキー８２、戻るキーおよび進むキーは、操作可能な場合には表示され、操作不能な場合には非表示とされているが、その代わりに、操作可能な場合にはアクティブ表示とされ、操作不能な場合には非アクティブ表示とされるようにしてもよい。その場合、それらのキーは、アクティブ表示では、比較的濃い色やカラーで表示され、非アクティブ表示では、比較的薄い色や白黒で表示される。
【００９７】
また、上記実施の形態２においては、ホームキー８１が押下されて初期画面６１へ遷移した場合にはトップキー８２の表示は消去されるが、その代わりに、そのトップキー８２の表示を初期画面６１でも継続させるようにしてもよい。その場合、初期画面６１においてそのトップキー８２が押下されると、表示部１３の画面は、初期画面６１の戻る前のコンテンツのカテゴリのトップ画面６２，６３，６４へ遷移する。
【００９８】
また、上記実施の形態３においては、ダウンロード完了後に自動的にかつ直ちにコンテンツの再生を行っているが、その代わりに、利用者が確認するための応答画面を表示させ、利用者による所定の確認操作があった場合のみ、そのコンテンツを再生するようにしてもよい。
【００９９】
また、上記各実施の形態における各種キーは、利用者の操作により画面内で移動可能なアイコンとしてもよい。
【０１００】
また、上記各実施の形態は、相互に組み合わせ可能である。
【産業上の利用可能性】
【０１０１】
本発明は、例えば、車載ナビゲーション装置に適用可能である。
【図面の簡単な説明】
【０１０２】
【図１】無線通信システムの一例を示す図である。
【図２】本発明の実施の形態１に係る車載装置の構成を示すブロック図である。
【図３】実施の形態１に係る車載装置の動作について説明するフローチャートである。
【図４】実施の形態２に係る車載装置の動作について説明するフローチャートである。
【図５】実施の形態２における表示画面の遷移について説明する図である。
【図６】実施の形態３に係る車載装置の動作について説明するフローチャートである。
【符号の説明】
【０１０３】
１  車載装置
２  路側機
１１  ＤＳＲＣ通信制御部（無線通信手段）
１２  操作部（入力手段）
１３  表示部（表示手段）
１５  制御部（制御手段，再生手段，選択手段）
８１  ホームキー（第１のアイコン，第１のキー）
８２  トップキー（第２のアイコン，第２のキー）
１００  車両
【図１】
2008046715.tif 000003
【図２】
2008046715.tif 000004
【図３】
2008046715.tif 000005
【図４】
2008046715.tif 000006
【図５】
2008046715.tif 000007
【図６】
2008046715.tif 000008